(57)【要約】【課題】首がすわっていない乳幼児の横抱きの体形と、首がすわってからの乳幼児の縦抱きの体形共に、使用者に過大な負担が加わることなく、かつ、乳幼児側の体形にも負担が少なく、また、横抱きの体形と縦抱きの体形との繋ぎ換えが簡単にできること。【解決手段】親と同一向きで縦抱きするときには、本体部１０に重ね合わせて取付けられている横抱き用補助具７０を外し、補助支持布部９０を折り畳み、本体部１０と腰ベルト部２０とが接続された接続幅を狭くし、そこに脚の位置を定めるものであるから、乳幼児Ｂの脚の開きが無理なく開ける程度であり、乳幼児Ｂにやさしいベビーキャリアとなる。また、親と相向き合う縦抱きのときには、乳幼児Ｂの臀部を補助支持布部９０で包み込むことができる。【選択図】図１
2013212295.tif 000002
【特許請求の範囲】
【請求項１】
乳幼児の身体の腹側が直接的または背側が直接的、間接的にあてがわれる本体部と、
前記本体部の縦抱き状態における下部と略逆Ｔ字状に接続された使用者の腰回りに腰ベルト連結具で取付け自在な腰ベルト部と、
前記本体部と前記腰ベルト部とが接続された接続幅よりも広い幅からなる一端が、前記本体部及び／または前記腰ベルト部に接続され、他端が前記本体部に沿って配置及び折り畳み自在とし、縦抱き状態で展開され使用される補助支持布部と、
前記本体部の上部に一端が固着され、使用者側の肩または首の背後に回して、他端を前記本体部の縦抱き状態における前記本体部の側部及び／または前記補助支持布部の上部に接続される一対の肩ベルト部と、
前記本体部の縦抱き状態における前記本体部の側部及び／または前記補助支持布部の上部との間の前記一対の肩ベルト部の各々に配設された肩ベルト連結具と、
前記腰ベルト部の縦抱き状態における下部に配設し、前記肩ベルト連結具を横抱き状態のときに接続される横抱き連結具と、
前記本体部に重ね合わせて取付け、取外しが自在であり、かつ、乳幼児の身体の背側があてがわれる内部に剛性のある芯材を収容し、前記芯材の表面をクッション性に富む材料で覆った横抱き用補助具と
を具備することを特徴とするベビーキャリア。
【請求項２】
前記腰ベルト部には、少なくとも前記腰ベルト部の端部を折り返して収納できる収納部を形成したことを特徴とする請求項１に記載のベビーキャリア。
【請求項３】
前記補助支持布部は、前記本体部に沿って配置及び折り畳み自在とした自由端側が前記本体部に対して固定する固着手段を配設していることを特徴とする請求項１または請求項２に記載のベビーキャリア。
【請求項４】
前記一対の肩ベルト部には、アジャスターを配設していることを特徴とする請求項１乃至請求項３のいずれか１つに記載のベビーキャリア。
【請求項５】
前記肩ベルト連結具を横抱き状態のときに接続される横抱き連結具は、その端部の連結具の位置を変更するアジャスター付のベルトを具備することを特徴とする請求項１乃至請求項４のいずれか１つに記載のベビーキャリア。
【発明の詳細な説明】
【技術分野】
【０００１】
本発明は、乳幼児または幼児を「横抱き」、「縦抱き」または「おんぶ」という３つの態様によって乳幼児または幼児を運搬するベビーキャリア(子守帯)に関するもので、特に、横抱き、前後の縦抱き等が自在に切り替えて行うことができるベビーキャリアに関するものである。
【背景技術】
【０００２】
従来の幼児を縦抱き状態で保持することができるベビーキャリアは、例えば、幼児を保持する子守帯本体と、この子守帯本体を使用者が肩に吊り下げて装着する肩帯とを備えている。特に、首がすわっていない幼児を対象とした子守帯においては、幼児の背面を比較的高い剛性で保持する必要があるため、子守帯本体に硬質ボードの如き剛性部材を用いてその剛性を高めていた。一方、首がすわってからの幼児を対象とした子守帯においては、幼児の背面を高い剛性で保持する必要がないため、子守帯本体には硬質ボードを用いずに、柔軟な布体のみにて構成していた。
【０００３】
特許文献１は、幼児を保持するためのベビーキャリア（１）の基本構成は、使用者（例えば、幼児の親）が装着する縦抱き用シート(１０)と、この縦抱き用シート(１０)に着脱自在に装着される横抱き用シート(５０)とを備えている。なお、特許文献で示す(  )内の数字は、特許文献１、特許文献２で使用されている図面の部品番号を示すものである。
ここで、ベビーキャリア(１)を用いて幼児を保持する際の態様について説明する。この態様としては、「横抱き」、「縦抱き」または「おんぶ」の３つの態様があり、更に、「縦抱き」には「前抱き」と「対面抱き」があり、「おんぶ」には「通常のおんぶ」と「クロスおんぶ」とがあり、総計で５つの態様がある。そして、使用者は自己のニーズに応じてこれら５つの態様のうちから１つの態様を選択し、幼児を運搬するものである。
【０００４】
また、特許文献２のベビーキャリア(１１)は、幼児(１１０)を寝かせた状態で支持するための支持具(２)と、その支持具(２)の前端部(２ａ)及び後端部(２ｂ)を吊り下げ支持する肩ベルト(３)とを備え、支持具(２)には幼児(１１０)を寝かせるためのマット部(４)が設けられ、そのマット部(４)内には幼児(１１０)の支持荷重に抗してマット部(４)の形状を保持するための芯材として背板(１８)が設けられたベビーキャリア(１１)において、背板(１８)の外周の少なくとも一部には当該背板(１８)の中心側の板厚よりも厚さが増した玉縁(１８ｃ)を設け、背板(１８)が使用者に当たったときの感覚を和らげることが可能なベビーキャリアを開示している。
【先行技術文献】
【特許文献】
【０００５】
【特許文献１】特開２００７−２６８０７３
【特許文献２】特開２００５−２３０１０７
【発明の概要】
【発明が解決しようとする課題】
【０００６】
このように、特許文献１は、首がすわっていない乳幼児を対象としても、容易かつ確実に携行でき、利用者の利便性を高めた子守帯が開示されている。しかし、抱かれている幼児の体形の安定性については追及するものがなかった。
また、特許文献２については、背板の少なくとも一部の外周に拡大部を設けることにより、使用者に背板が当たったときの背板の食い込みを抑えて接触時の感覚を和らげることができ、これにより、例えば、授乳姿勢のように支持具と使用者とが密着するような姿勢を取っても使用者が不快感を受けることなく長時間その姿勢を続けられるという作用効果を奏するものの、ベビーキャリアに抱かれている幼児体形の安全性については追及するものがない。特に、従来の首がすわっていない乳幼児を対象とした子守帯の横抱きの体形と、首がすわってからの乳幼児を対象とした子守帯の縦抱きの体形が、当該子守帯の使用者に過大な負担が加わることなく、かつ、乳幼児側にも体形に負担の少ない子守帯という概念は存在していない。また、横抱きの体形では乳幼児の足が子守帯から出ているので、当該子守帯の使用者の不注意で建造物等に当ててしまう可能性がある。
【０００７】
そこで、本発明は、首がすわっていない乳幼児を対象とした横抱きの体形と首がすわってからの乳幼児を対象とした縦抱きの体形が共に、使用者に過大な負担を加えることなく、かつ、乳幼児側の体形にも負担が少なく、また、横抱きの体形と縦抱きの体形との繋ぎ換えが簡単にできるベビーキャリアの提供を課題とするものである。
【課題を解決するための手段】
【０００８】
請求項１の発明にかかるベビーキャリアは、乳幼児の身体の腹側が直接的または背側が直接的、間接的にあてがわれる本体部と、前記本体部の縦抱き状態における下部に配設した腰ベルト部と、前記本体部と前記腰ベルト部が接続された接続幅よりも広い幅で、縦抱き状態で展開される補助支持布部と、前記本体部の上部に固着され、使用者側の肩または首の背後に回して、他端を前記本体部の縦抱き状態における前記本体部の側部及び／または前記補助支持布部の上部に接続される一対の肩ベルト連結具付の肩ベルト部と、前記肩ベルト連結具が横抱き状態のときに、前記本体部の側部及び／または前記補助支持布部の接続に代わって接続される横抱き連結具と、前記本体部に重ね合わせて取付け、取外しが自在であり、乳幼児の身体の背側があてがわれる内部に剛性のある芯材を収容し、前記芯材の表面をクッション性に富む材料で覆った横抱き用補助具を具備するものである。
【０００９】
ここで、上記本体部は、乳幼児の縦抱きの場合、腹側が直接的、背側が直接的、及び横抱きの場合、横抱き用補助具を介して背側が間接的にあてがわれるものである。
また、上記腰ベルト部は、縦抱きの際に使用者の腰回りに配設するもので、前記本体部に対して略逆Ｔ字状を描くように配置され、その水平方向の長さ方向の端部は腰ベルト連結具によって互いに連結自在としている。なお、ここで、腰ベルト連結具、肩ベルト連結具等の連結具とは、ナスカン、カラビナ、Ｄロック、クイックキャッチ、楕円リング等の連結具、バックルの連結差込具と連結受具の対が使用できるものである。
【００１０】
そして、上記一対の肩ベルト部は、前記本体部の上部に一端が固着され、横抱きの場合には、使用者側の肩または首の背後に回して他端を縦抱き状態の本体部の下部との接続状態で使用する。また、縦抱きの場合には、一対の肩ベルト部に配設された一方の肩ベルト連結具と前記本体部に配設された他方の肩ベルト連結具とを繋ぎ、前記本体部の上部に一端が固着された一対の肩ベルト部のループが前記本体部の側部の肩ベルト連結具によって形成されるものである。
更に、上記横抱き用補助具は、前記本体部に重ね合わせて取付け、取外しが自在であり、かつ、乳幼児の身体の背側があてがわれる内部に剛性の比較的高い硬質ボード等の芯材を収容し、前記芯材の表面をクッション性に富む材料で覆うと共に、その下端を折曲自在とし、腰ベルト部の動きに追随させるものである。
【００１１】
請求項２の発明にかかるベビーキャリアの前記腰ベルト部には、少なくとも、前記腰ベルト部の端部を折り返して収納できる収納部を形成したものである。
ここで、上記腰ベルト部は、少なくとも前記腰ベルト部の端部を折り返して収納できる容積を有するものであり、好ましくは、前記横抱き連結具及び前記補助支持布部を収容する容積を有するものである。ここで、少なくとも前記腰ベルト部の端部を折り返して収納できる容積とは、前記腰ベルト部の端部を収納できる容積を具備することは必要であるが、その他の前記横抱き連結具及び前記補助支持布部を収容する容積は必ずしも必要としないものである。しかし、前記横抱き連結具及び前記補助支持布部を収容する容積を有することが望ましい。特に、前記補助支持布部は前記腰ベルト部に１回巻回することによって目立ことがなくなり、前記横抱き連結具も同時に巻き込むことができる。
【００１２】
請求項３の発明にかかるベビーキャリアの前記補助支持布部は、前記本体部に沿って配置及び折り畳み自在とした自由端側が前記本体部に対して固定する固着手段を配設しているものである。
ここで、前記補助支持布部は、前記本体部に沿って配置及び折り畳み自在としたものであり、その自由端側が前記本体部の面に対して固着手段で固定するものである。この固着手段としては、ボタン、ホック、接着布、ファスナー等とすることができる。
【００１３】
請求項４の発明にかかるベビーキャリアの前記一対の肩ベルト部には、アジャスターを配設しているものである。
この一対の肩ベルト部のアジャスターは、肩ベルトの長さを調節できるものであればよい。よって、独立したアジャスターでもよいし、連結具と一体となったものでもよい。
【００１４】
請求項５の発明にかかるベビーキャリアの前記肩ベルト連結具を横抱き状態のときに接続される横抱き連結具は、その端部の連結具の位置を変更するアジャスター付のベルトを具備するものである。
ここで、横抱き連結具が連結具の位置を変更するアジャスター付のベルトを有するもので、縦抱きと、横抱きの場合の肩ベルト部の長さ調節を縦抱きと、横抱きの態様に応じて個々に調整しなおす必要がなくなるように、個別に設定できればよい。
【発明の効果】
【００１５】
請求項１のベビーキャリアは、親と同一前向きで縦抱きするときには、本体部に重ね合わせて取付けられている横抱き用補助具を外し、補助支持布部を折り畳み前記本体部と前記腰ベルト部とが接続された接続幅を狭くし、そこに乳幼児の脚の位置を定める。そして、本体部に乳幼児の身体の腹側が直接的にあてがわれるように寝かせる。その本体部の縦抱き状態の下部位置で略逆Ｔ字状に取付けられた腰ベルト部の水平の長さ方向の端部に配設した腰ベルト連結具によって、腰ベルト部を使用者の腰回りに配設する。一対の肩ベルト部は、前記本体部の上部に一端が固着され、他端が前記本体部の縦抱き状態における側部に接続されているから、前記一対の肩ベルト部の前記本体部の上部と前記本体部の側部との間に配設された肩ベルト連結具によって、本体部の上部と肩ベルト連結具によって連結した部位との間で一対の肩ベルト部の肩ベルト長を決定する。そして、その一対の肩ベルト部を使用者側の肩の背後に回すことにより縦抱きとする。
【００１６】
使用者と対面する向きで縦抱きするときには、同様に、本体部に重ね合わせて取付けられている横抱き用補助具を外し、補助支持布部を展開し、前記本体部と前記腰ベルト部とが接続された接続幅を広くし、そこに臀部の位置を定める。そして、本体部に乳幼児の身体の背側が直接的にあてがわれるように寝かせる。その本体部の縦抱き状態の下部位置で略逆Ｔ字状に取付けられた腰ベルト部の水平の長さ方向の端部に配設した腰ベルト連結具によって、腰ベルト部を使用者の腰回りに配設する。一対の肩ベルト部は、前記本体部の上部に一端が固着され、他端が前記本体部の縦抱き状態における前記補助支持布部の上部に接続され、前記一対の肩ベルト部の前記本体部の上部と前記補助支持布部の上部との間に配設された肩ベルト連結具によって、本体部の上部と肩ベルト連結具によって連結した部位との間で一対の肩ベルト部の肩ベルト長を決定する。そして、その一対の肩ベルト部を使用者側の肩の背後に回すことにより縦抱きとする。
【００１７】
そして、横抱きするときは、本体部に重ね合わせて横抱き用補助具を取付け、本体部の横抱き用補助具に乳幼児の身体の背側が直接的にあてがわれるように寝かせる。即ち、本体部に乳幼児の身体の背側が間接的にあてがわれるようにする。その本体部の縦抱き状態の下部で略逆Ｔ字状に取付けられている腰ベルト部は、腰ベルト連結具と共に折り返して格納するか、或いは折り畳むか、不要な部分を取り外し、コンパクト化する。一対の肩ベルト連結具は、前記本体部の上部に一端が固着され、他端が前記本体部の縦抱き状態における下部の横抱き連結具に接続されるから、その一対の肩ベルト部を使用者側の肩または首の背後に回すことにより横抱きとする。
したがって、首がすわっていない乳幼児を対象とした横抱きの体形と、首がすわってからの乳幼児を対象とした縦抱きの体形とは、共に使用者または乳幼児に過大な負担が加わることなく、かつ、乳幼児側の体形にも負担が少なく、横抱きの体形と縦抱きの体形との繋ぎ換えが簡単にできることになる。
特に、一対の肩ベルト部の長さと、一対の肩ベルト連結具の取付け位置を個別に調整しておくことにより、仮に、両方の使用が必要になった場合でも、使用者に合った縦抱きと横抱きが何らの調整もなく変更でき、使い勝手がよくなる。
【００１８】
請求項２のベビーキャリアの前記腰ベルト部には、少なくとも前記腰ベルト部の端部を折り返して収納できる収納部を形成したものであるから、請求項１に記載の効果に加えて、前記腰ベルト部の不使用時には、その存在をも分からないように収容でき、全体がコンパクトになる。また、前記腰ベルト部が乳幼児の足載せとなり、乳幼児が窮屈感から開放される。
【００１９】
請求項３のベビーキャリアの前記補助支持布部は、前記本体部に沿って配置及び折り畳み自在とした自由端側が前記本体部に対して固定する固着手段を配設しているものであるから、請求項１または請求項２に記載の効果に加えて、前記補助支持布部の自由端が本体部から離れるようなことがなくなり、前記補助支持布部が前記本体部と一体に縫い付けられているように一体感が出て、見栄えがよくなり、仕上がりに上品さが出る。
【００２０】
請求項４のベビーキャリアの前記一対の肩ベルト部には、アジャスターを配設しているものであるから、請求項１乃至請求項３のいずれか１つに記載の効果に加えて、人の好みに応じた肩掛けできる距離に設定可能になる。また、横抱きと縦抱きとの違いにも連結具の接続の切り替えのみで簡単に対応できる。
【００２１】
請求項５のベビーキャリアの前記肩ベルト連結具を横抱き状態のときに接続される横抱き連結具は、その端部の連結具の位置を変更するアジャスター付のベルトを具備するものであるから、請求項１乃至請求項５のいずれか１つに記載の効果に加えて、横抱きと縦抱きとの違いにも連結具の切り替えのみで、その都度、長さの調節を行う必要がない。
【図面の簡単な説明】
【００２２】
【図１】図１は本発明の実施の形態１にかかるベビーキャリアの乳幼児を抱く面側から見た正面図である。
【図２】図２は本発明の実施の形態１にかかるベビーキャリアの乳幼児を抱く面の反対側から見た正面図である。
【図３】図３は本発明の実施の形態１にかかるベビーキャリアの乳幼児を使用者と同一方向に向く縦抱きする状態を示す乳幼児を抱く面側から見た正面図である。
【図４】図４は本発明の実施の形態１にかかるベビーキャリアの乳幼児を使用者と同一方向に向く縦抱きする状態を示す乳幼児を抱く反対面側から見た正面図である。
【図５】図５は本発明の実施の形態１にかかるベビーキャリアの乳幼児を縦抱きする補助支持布部の格納順序を示す乳幼児を抱く反対面側から見た正面図で、(ａ)は両側の折り畳み状態を、(ｂ)は上からの折り畳み状態を、(ｃ)は格納状態を示すものである。
【図６】図６は本発明の実施の形態１にかかるベビーキャリアの乳幼児を横抱きする横抱き用補助具を取付けた乳幼児を抱く面側から見た正面図である。
【図７】図７は本発明の実施の形態１にかかるベビーキャリアの乳幼児を横抱きする横抱き用補助具の平面図である。
【図８】図８は本発明の実施の形態１にかかるベビーキャリアの乳幼児を横抱きする横抱き用補助具を取付けることの説明図である。
【図９】図９は本発明の実施の形態１にかかるベビーキャリアの乳幼児を横抱きする横抱き用補助具を取付けた状態の要部斜視図である。
【図１０】図１０は本発明の実施の形態１にかかるベビーキャリアの乳幼児を横抱きする場合の収納部の説明図である。
【図１１】図１１は本発明の実施の形態１にかかるベビーキャリアの乳幼児を使用者と対面する縦抱きする状態を示す斜視図である。
【図１２】図１２は本発明の実施の形態１にかかるベビーキャリアの乳幼児を使用者と同一方向に向く縦抱きする状態を示す横抱きする状態を示す斜視図である。
【図１３】図１３は本発明の実施の形態１にかかるベビーキャリアの乳幼児を横抱きする状態を示す斜視図である。
【図１４】図１４は本発明の実施の形態１にかかるベビーキャリアの乳幼児を使用者と同一方向に向く縦抱きする状態を示す乳幼児を抱く反対面側から見た変形例の正面図である。
【発明を実施するための形態】
【００２３】
以下、本発明の実施の形態について、図面に基づいて説明する。なお、実施の形態において、図示の同一記号及び同一符号は、同一または相当する機能部分であるから、ここではその重複する説明を省略する。
【００２４】
［実施の形態１］
まず、図に示すように、本発明の実施の形態の本体部１０は、縦抱きのとき乳幼児Ｂの身体の腹側または背部が直接あてがわれる部分で、所定の柔軟性を持ち、かつ、乳幼児Ｂの体形に無理が加わらないように若干の弾性を有する芯材を入れて形成したものである。全体が略長方形状となっている。
【００２５】
図１乃至図４において、本体部１０の下部、即ち、縦抱き状態における下部、つまり、図１の下側には略逆Ｔ字状に一体化した腰ベルト部２０が配設されている。腰ベルト部２０のベルト長さ方向の端部に配設した連結具としての連結差込具２１と連結受具２２によって両者が連結自在とし、使用者Ｍの腰回りに取付け自在としている。なお、連結具としての連結差込具２１及び連結受具２２は、本実施の形態の腰ベルト連結具２を構成している。なお、以下、実施の形態において最下端付近、下部とは、縦抱き状態の位置の最下端またはその５ｃｍ以内の近傍、下部またはその５ｃｍ以内の下部近傍を示すものとする。
【００２６】
本体部１０と腰ベルト部２０とは、縫製によって縫い合わされており、両者間は本体部１０の面方向に対して直角方向に折れ曲がり自在となっている。また、腰ベルト部２０も本体部１０と同様、所定の柔軟性を持ち、かつ、使用者Ｍの腰回りに取付けても使用者Ｍの体形に無理がかからないように若干の弾性を持つ芯材を入れて形成されている。また、その幅も、１０〜２０ｃｍ程度の幅として、乳幼児Ｂの体重が加わったときでも、使用者Ｍの腰回りに加わる力に集中が生じないようにしている。
【００２７】
腰ベルト連結具２としての連結差込具２１と連結受具２２は、本実施の形態では一対のバックルから構成されているが、本発明を実施する場合には、ナスカン、カラビナ、スプリングホック、Ｄロック、クイックキャッチ、楕円リング等の連結具が使用可能であり、何れを選択してもよい。通常、簡単に連結可能であり、安全性の高いものが使用される。そして、腰ベルト連結具２としてのバックルの連結差込具２１と連結受具２２は、何れ側を連結差込具２１側または連結受具２２側としてもよい。
【００２８】
本実施の形態の腰ベルト連結具２としての連結差込具２１と連結受具２２は、取付けに必要なベルト長が決められるように、一方または両方に所定長の連結ベルト２３を配設し、腰ベルト部２０の長さを決定し、アジャスター機能をも有している。この所定長の連結ベルト２３は使用者Ｍの腰の周囲の長さに合わせるものであり、腰ベルト部２０の中央または腰ベルト連結具２としての連結差込具２１または連結受具２２で調整することもでき、必ずしも必要とするものではない。
【００２９】
腰ベルト部２０と本体部１０側は、縦抱き状態の本体部１０の最下端またはその付近が一体に縫い合わされている。肩ベルト部４０の肩掛け部４１ａ，４１ｂも縫い合わせによって接合されている。特に、腰ベルト部２０と本体部１０、本体部１０と肩ベルト部４０との間には、乳幼児Ｂの体重が加わる前提で、堅固に縫製されている。
なお、腰ベルト部２０に配設されているホック２８ａ、２８ｂは横抱き用補助具７０の取付け用である。
【００３０】
本体部１０の上方には、一対の肩ベルト部４０が設けられている。一対の肩ベルト部４０は、肩掛け部４１ａ，４１ｂと延長ベルト部４２ａ，４２ｂとその端部付近に配設した連結具としての連結差込具４３ａ，４３ｂが配設されている。肩掛け部４１ａ，４１ｂは所定の柔軟性を持つ材料で形成されている。即ち、通常は、延長ベルト部４２ａ，４２ｂを芯とし、その周囲に柔軟性に富む緩衝材が設けられている。肩掛け部４１ａ，４１ｂはこの緩衝材によって肩または首の背後の一部分に乳幼児Ｂの体重集中が生じないようにしている。
【００３１】
延長ベルト部４２ａ，４２ｂの端部には、肩掛け部４１ａ，４１ｂの延長ベルト部４２ａ，４２ｂ側に配設した連結受具４５ａ，４５ｂと係合する連結具である連結差込具４３ａ，４３ｂが配設されている。延長ベルト部４２ａの端部の連結差込具４３ａは、本体部１０の側部に配設した山高Ｄカン６１ａに挿通されて連結受具４５ａと係合し、また、延長ベルト部４２ｂの端部の連結差込具４３ｂは、本体部１０の側部に配設した環状支持部６０の山高Ｄカン６１ｂに挿通されて連結受具４５ｂと係合する。ここで、本体部１０に配設した環状支持部６０の山高Ｄカン６１ａ，６１ｂと肩ベルト部４０の連結差込具４３ａ，４３ｂ及び連結受具４５ａ，４５ｂは、本実施の形態の肩ベルト連結具を構成している。
【００３２】
なお、本実施の形態の肩ベルト連結具は、この本実施の形態の構成に限定されることなく、延長ベルト部４２ａ，４２ｂの端部の連結差込具４３ａ，４３ｂは、本体部１０に配設した環状支持部６０の山高Ｄカン６１ａ，６１ｂを連結受具４５ａ，４５ｂに代えて、連結差込具４３ａ，４３ｂと山高Ｄカン６１ａ，６１ｂに代えた連結受具４５ａ，４５ｂと直接係合する構成とすることもできる。
即ち、本発明を実施する場合には、一対の肩ベルト部４０が本体部１０の上部と、本体部１０の側部との間で、本体部１０によって乳幼児Ｂが保持できる構成であればよい。
【００３３】
一対の肩ベルト部４０には、その相互間の幅を拡大させないようにする補助ベルト５０が配設されている。補助ベルト５０は肩ベルト部４０の肩掛け部４１ａに配設されたベルトに対して一方の先端に連結差込具５２ａを配設し、また、肩ベルト部４０の肩掛け部４１ｂに配設されたベルトに対して他方の先端に連結受具５２ｂを配設している。
したがって、補助ベルト５０の連結差込具５２ａと連結受具５２ｂを係合状態としておけば、一対の肩ベルト部４０の間隔が固定され、これにより、肩掛け部４１ａと肩掛け部４１ｂとの間が所定の距離を保つことができる。よって、使用状態で、肩掛け部４１ａと肩掛け部４１ｂとの一方のみまたは両方が肩から外れるという事態が発生しないようにしている。
【００３４】
また、本体部１０には、前述したように、一対の肩ベルト部４０の取付けを行っている上端よりも下の側部で、具体的には、一対の肩ベルト部４０の縦抱き状態の高さ方向の略１／２の位置に、連結具である山高Ｄカン６１ａ，６１ｂが突出して配設されている。山高Ｄカン６１ａ，６１ｂは図２及び図４に示すように、ベルト６２ａ，６２ｂによって、本体部１０に堅固に取付けられており、一対の肩ベルト部４０の延長ベルト部４２ａ，４２ｂ及び一方の肩ベルト連結具である連結差込具４３ａ，４３ｂがそれを通過し、折り返して、連結差込具４３ａ，４３ｂが一対の肩ベルト部４０の肩掛け部４１ａ，４１ｂの延長ベルト部４２ａ，４２ｂ側にある取付ベルト４４ａ，４４ｂを介して取付けられた他方の肩ベルト連結具としての連結受具４５ａ，４５ｂと係合自在となっている。山高Ｄカン６１ａ，６１ｂとベルト６２ａ，６２ｂは、本実施の形態の環状支持部６０を構成している。この環状支持部６０は、Ｕターンして折り返しができるものである。勿論、Ｕターンするように取付けても、そこが力の作用点になることから、ナスカン、カラビナ、Ｄロック、クイックキャッチ、楕円リング等の連結具、バックルの連結差込具と連結受具の対に置き換えることも可能である。
【００３５】
肩掛け部４１ａ，４１ｂから延びている延長ベルト部４２ａ，４２ｂ及び肩ベルト連結具としての連結差込具４３ａ，４３ｂが山高Ｄカン６１ａ，６１ｂを通過し、折り返して、他方の肩ベルト連結具としての連結受具４５ａ，４５ｂと係合することにより、乳幼児Ｂの縦抱きの際、使用者Ｍ側の肩または首の背後に回す一対の肩ベルト部４０として機能する。勿論、一対の肩ベルト部４０の接続はクロスして接続することもできる。
【００３６】
本実施の形態では、環状支持部６０の山高Ｄカン６１ａ，６１ｂを延長ベルト部４２ａ，４２ｂ及びその連結差込具４３ａ，４３ｂが通過し、山高Ｄカン６１ａ，６１ｂの取付け部を力点としているが、本発明を実施する場合には、山高Ｄカン６１ａ，６１ｂを連結受具４５ａ，４５ｂとしてもよい。しかし、本実施の形態のように構成すると、縦抱きと横抱きの一対の肩ベルト部４０の長さが大きく変化しないから、乳幼児Ｂの年齢によっては、使い勝手が良くなる。
【００３７】
また、横抱き用補助具７０は、図７及び図８に示すように、乳幼児Ｂの身体の多く、即ち、頭部及び背部及び臀部を受ける基部７５、基部７５の縦抱き状態の下側に位置し、基部７５に対して直角な位置状態に変位可能な折曲端部７４を有している。
基部７５には、横抱きのとき乳幼児Ｂの身体の背部が直接あてがわれる部分であり、乳幼児Ｂの体形に無理が加わらないように、また、保護を行うように本体部１０よりも強い芯材を入れて形成され、その表面は所定の柔軟性を持たせて肌触り感を良くしている。基部７５には芯材が入っているが、折曲端部７４には芯材が入っていても連続していないものが入っているか、或いは、芯材が入っていないものである。したがって、折曲端部７４は基部７５から折曲自在となっている。
【００３８】
横抱き用補助具７０は、その基部７５が乳幼児Ｂの身体がその側部に移動し難いように湾曲させて形成されている。また、芯材が入っている基部７５と折曲端部７４とは、連続に形成されているが、折曲端部７４が基部７５の面に対して直角に起立できるように、基部７５の底面の湾曲と同様な湾曲によって基部７５と折曲端部７４との間が区別されている。また、折曲端部７４には金属スナップボタン７４ａ，７４ｂが配設されていて、腰ベルト部２０に取付けられた金属スナップボタン２８ａ，２８ｂが接続または解除自在になっている。
【００３９】
また、基部７５の上部には、一対の肩ベルト部４０の肩掛け部４１ａ，４１ｂに取付ける概略Ｔ字状となった取付保持部材７７ａ，７７ｂが配設されている。取付保持部材７７ａ，７７ｂの自由端の両端には、その対向する表裏に接着布７８ａ，７８ｂが縫い付けられていて、一対の肩ベルト部４０の肩掛け部４１ａ，４１ｂに巻き付けることにより、肩掛け部４１ａ，４１ｂに横抱き用補助具７０の上部が取付け、取り外し自在となっている。
【００４０】
そして、基部７５は乳幼児Ｂの臀部が位置する個所は、若干の臀部の落ち込みが自在なように窪みが形成されている。本体部１０には、横抱き用補助具７０及び乳幼児保持用の固定ベルト１２ａ,１２ｂが形成されており、その固定ベルト１２ａ,１２ｂの先端には、連結具、即ち、幼児用連結具としての連結差込具１３ａと連結受具１３ｂが配設されている。また、基部７５と折曲端部７４との間にはバイアス部７３ａ，７３ｂが形成されており、乳幼児Ｂの脚部分を軽く保持するように所定の幅で斜めに２本の帯が形成されている。
【００４１】
更に、基部７５の上部には、乳幼児Ｂの頭部が位置する周囲に、円弧状のフード７１が配設されている。円弧状のフード７１は基部７５に対して略直角に起立している。特に、乳幼児Ｂの頭部は本体部１０の平面からの高さが高い形状で、乳幼児Ｂの側部になるに従って低い位置までの高さとなっている。これによって、乳幼児Ｂの耳に入る音を極端に低下させることによって、不安感を抱くようなことをなくすようにしている。
また、乳幼児Ｂの頭部の頂上に外力が加わらないように、所定の厚みでクッション性を持たせ、かつ、芯によって外力が直接乳幼児Ｂに加わらないようにしている。
【００４２】
横抱き用補助具７０は、本体部１０に重ね合わせて図示しない金属スナップボタン、スプリングホック、接着布、接続具等によって取付け、取り外しが自在に構成されている。また、乳幼児Ｂの身体の背側があてがわれる内部に剛性の高い芯材としての硬質ボードを収容し、前記硬質ボードの表面をクッション性に富む材料で覆うと共に、その下端の折曲端部７４を折曲自在としている。
基部７５と折曲端部７４との関係は、基部７５が中央が沈むように湾曲させているから、基部７５と折曲端部７４の境界線は湾曲した縫製線となっている。したがって、折曲端部７４を基部７５の面に対して直角に立設した場合には、両者の形状が維持されやすくなっている。
【００４３】
腰ベルト部２０の本体部１０の反対側の中央の最下端付近には位置決め用の調整ベルト８１を介して連結具としての山高Ｄカン８２が配設されている。調整ベルト８１は腰ベルト部２０の面に縫製された連結ベルト２６ａ，２６ｂによって、本体部１０の一部に接続され、腰ベルト部２０の厚みの下部で一体となっている。つまり、本体部１０と連結ベルト２６ａ，２６ｂで三角形を形成し、その交点に調整ベルト８１を縫製している。この縫製によって、本体部１０及び腰ベルト部２０及び調整ベルト８１との機械的強度を上げている。即ち、腰ベルト部２０の厚みの下端より調整ベルト８１が突出している。
【００４４】
この位置決め用の調整ベルト８１及び連結具としての山高Ｄカン８２は、本実施の形態の横抱き連結具８０を構成している。本実施の形態では調整ベルト８１が腰ベルト部２０の面に縫製された連結ベルト２６ａ，２６ｂを介して接続されているが、乳幼児Ｂの体重が保護できるものであれば、１本でも２本でもよいし、その縫製方法を特定するものではない。
この横抱き連結具８０の引き出しは、腰ベルト部２０の本体部１０の反対側の中央の最下端付近から引き出しているので、ここに外力が加わると、横抱き連結具８０は本体部１０に対して直角方向に折れ曲がることになり、本体部１０及び横抱き連結具８０の機械的強度を上げている。
【００４５】
また、腰ベルト部２０には、使用者Ｍの腰に取付けた状態で表側に格納部３０が設けられている。この格納部３０は図２に示すように、パワーネット等の弾性のある布の４隅と、横抱き連結具８０の出入りの位置の開口を除き、その乳幼児Ｂの縦抱き状態の最下側に位置する辺を腰ベルト部２０に対して縫製し、３辺を開口させて構成している。したがって、格納部３０の上部から本体部１０と腰ベルト部２０とが接続された接続幅よりも広い幅からなる補助支持布部９０は、折り畳んで格納される。また、腰ベルト部２０の両側からは、腰ベルト連結具２としての連結差込具２１と連結受具２２を含む腰ベルト部２０が折り曲げて収容される。
なお、本実施の形態の格納部３０は、パワーネットを使用しているが、本発明を実施する場合には、所定の収容容積を有するポケット状の容器であればよい。
【００４６】
格納部３０に対する補助支持布部９０の収納は、次のように行われる。まず、図５（ａ）に示すように、補助支持布部９０の両側の山高Ｄカン９１ａ，９１ｂを内側に折曲げる。次いで、それを図５（ｂ）に示すように、上側から折曲げて畳み、更に、畳むと同時に、図５（ｃ）に示すように、格納部３０に畳み込んだ補助支持布部９０を挿入する。このようにして補助支持布部９０を格納部３０に格納する。
【００４７】
同様に、腰ベルト部２０は、図１０に示すように、腰ベルト連結具２としての連結差込具２１と連結受具２２を内側に折曲げ、結果的に３つ折りするように連結差込具２１と連結受具２２の先端側から格納部３０に挿入して格納する。
また、位置決め用の調整ベルト８１及び連結具としての山高Ｄカン８２からなる横抱き連結具８０は、格納部３０に開口３１が形成されているので、その開口３１から調整ベルト８１及び山高Ｄカン８２からなる横抱き連結具８０を引き込んでいる。
【００４８】
本実施の形態のベビーキャリアは、次のように使用できる。
まず、図１３に示す横抱きについて説明する。
横抱き用補助具７０を本体部１０に取付保持部材７７ａ，７７ｂを肩掛け部４１ａ，４１ｂに取付け、金属スナップボタン７４ａ，７４ｂを腰ベルト部２０の金属スナップボタン２８ａ，２８ｂに取付けて両者を一体化する。横抱き用補助具７０の基部７５で乳幼児Ｂの身体の多く、頭部及び背部及び臀部を受け、収容するようにする。
このとき、腰ベルト部２０の格納部３０には、腰ベルト部２０の使用者Ｍの腰回り方向の端部に配設された連結差込具２１及び連結受具２２の腰ベルト連結具及び所定長のベルト２３が折り曲げられて格納され、また、補助支持布部９０は、その上部に配設した山高Ｄカン９１と共に格納部３０に格納された状態である。格納部３０から位置決め用の調整ベルト８１及び連結具としての山高Ｄカン８２からなる横抱き連結具８０が引き出されている。
また、乳幼児Ｂは、本体部１０の乳幼児保持用の固定ベルト１２ａ,１２ｂにより、その先端の幼児用連結具としての連結差込具１３ａと連結受具１３ｂが接続され乳幼児Ｂの重心位置を保持する。この状態で基部７５の下側に位置し、基部７５に対して直角な位置状態となる折曲端部７４は、乳幼児Ｂの足部を受けることになる。
【００４９】
そして、一対の肩ベルト部４０の肩掛け部４１ａ，４１ｂに一体化されている延長ベルト部４２ａ，４２ｂをその端部付近に配設した肩ベルト連結具としての連結差込具４３ａ，４３ｂを腰ベルト部２０の横抱き連結具８０の山高Ｄカン８２に挿通し、肩掛け部４１ａ，４１ｂの下部に配設されている連結受具４５ａ，４５ｂに接続する。肩ベルト連結具としての連結差込具４３ａ，４３ｂと連結受具４５ａ，４５ｂとの接続は、連結差込具４３ａと連結受具４５ａ及び連結差込具４３ｂと連結受具４５ｂとの接続とすることができる。また、連結差込具４３ａ，４３ｂと連結受具４５ａ，４５ｂとの接続は、連結差込具４３ａと連結受具４５ｂ及び連結差込具４３ｂと連結受具４５ａとの接続とすることができる。前者の場合には、一対の肩ベルト部４０は平行に配置されるが、後者の場合はクロスさせて首または肩にかけ横抱きすることができる。
【００５０】
更に、横抱き用補助具７０の下端の折曲端部７４を折曲自在とし、しかも、腰ベルト部２０の本体部１０側の反対側の最下端付近の２カ所に配設した肩ベルト連結具としての連結受具４５ａ，４５ｂは、肩ベルト連結具としての連結差込具４３ａ，４３ｂが一対の肩ベルト部４０によって上に引き起こされ、内部に配設された横抱き用補助具７０の下端が折曲自在となっているから、同時に横抱き用補助具７０の下端が腰ベルト部２０と同様、上方向に引き上げられるから、それによって乳幼児Ｂの足を浮かせることができる。
したがって、乳幼児Ｂの足が横抱きしていても、首がすわっていない乳幼児Ｂを対象としたベビーキャリアの横抱きの体形と、首がすわってからの乳幼児Ｂを対象としたベビーキャリアの縦抱きの体形共に、当該ベビーキャリアの使用者Ｍに過大な負担が加わることなく、かつ、乳幼児Ｂ側の体形にも負担が少なく、横抱きの際には乳幼児Ｂの足を保護できる図１３に示す横抱き状態となる。
【００５１】
これに対して縦抱きするときには、次の使用者Ｍと乳幼児Ｂが同一方向を向いて縦抱きする図１２に示す場合と、使用者Ｍと乳幼児Ｂが同一方向を向いて縦抱きする図１１に示す場合との２つの対応がある。
まず、使用者Ｍと乳幼児Ｂが同一方向を向いて縦抱きする図１２に示す場合について説明する。
【００５２】
使用者Ｍと乳幼児Ｂが同一方向を向いて縦抱きする図１２に示す場合には、本体部１０に重ね合わせて取付けられている横抱き用補助具７０を外し、腰ベルト部２０の格納部３０から腰ベルト部２０の使用者Ｍの腰回り方向の端部に配設された連結差込具２１及び連結受具２２の腰ベルト連結具及び所定長のベルト２３を引き出し、格納部３０に位置決め用の調整ベルト８１及び連結具としての山高Ｄカン８２からなる横抱き連結具８０を収納する。また、補助支持布部９０は、その上部に配設した山高Ｄカン９１と共に格納部３０に格納されたままである。
【００５３】
本体部１０に乳幼児Ｂの身体の背側が直接的にあてがわれるように寝かせる。一対の肩ベルト部４０の肩掛け部４１ａ，４１ｂに一体化されている延長ベルト部４２ａ，４２ｂをその端部付近に配設した一方の肩ベルト連結具としての連結差込具４３ａ，４３ｂを環状支持部６０としての山高Ｄカン６１ａ，６１ｂに通し、そこでＵターンさせて、連結差込具４３ａ，４３ｂを肩ベルト部４０の肩掛け部４１ａ，４１ｂの先端に配設されている他方の肩ベルト連結具としての連結受具４５ａ，４５ｂに接続する。そして、補助ベルト５０の連結差込具５２ａと連結受具５２ｂを係合状態とし、一対の肩ベルト部４０の間隔が固定され、これにより、肩掛け部４１ａと肩掛け部４１ｂとの間が所定の距離を保つことができる。
【００５４】
使用者Ｍと乳幼児Ｂが相向かい合って互いの顔が確認できるように縦抱きする図１１に示す場合について説明する。
使用者Ｍと乳幼児Ｂが相向かい合う縦抱きのときには、本体部１０に重ね合わせて取付けられている横抱き用補助具７０を外し、また、腰ベルト部２０の格納部３０から、腰ベルト部２０並びに連結差込具２１及び連結受具２２を取り出し、補助支持布部９０も取り出して展開する。そして、必要に応じて補助支持布部９０の自由端を固着手段で本体部１０に固着する。また、格納部３０には、位置決め用の調整ベルト８１及び連結具としての山高Ｄカン８２からなる横抱き連結具８０を格納する。
【００５５】
そして、本体部１０に乳幼児Ｂの身体の背側が直接的にあてがわれるように仰向けに寝かせる。一対の肩ベルト部４０の肩掛け部４１ａ，４１ｂに一体化されている延長ベルト部４２ａ，４２ｂをその端部付近に配設した一方の肩ベルト連結具としての連結差込具４３ａ，４３ｂと共に、補助支持布部９０の山高Ｄカン９１ａ，９１ｂに通し、そこでＵターンさせて、連結差込具４３ａ，４３ｂを肩ベルト部４０の肩掛け部４１ａ，４１ｂの先端に配設されている他方の肩ベルト連結具としての連結受具４５ａ，４５ｂに接続する。そして、補助ベルト５０の連結差込具５２ａと連結受具５２ｂを係合状態とし、一対の肩ベルト部４０の間隔が固定され、これにより、肩掛け部４１ａと肩掛け部４１ｂとの間が所定の距離を保つことができる。
【００５６】
また、乳幼児Ｂは、本体部１０の乳幼児保持用の固定ベルト１２ａ,１２ｂにより、その先端の幼児用連結具としての連結差込具１３ａと連結受具１３ｂが接続され、乳幼児Ｂの重心位置を保持する。
そして、本体部１０の下部と一体化した腰ベルト部２０を使用者Ｍの腰回りに腰ベルト連結具としての連結差込具２１と連結受具２２を用いて接続し、使用者Ｍの腰回りに取付ける。そして、一対の肩ベルト部４０に手を通して乳幼児Ｂを縦抱きする。更に、補助ベルト５０の連結差込具５２ａと連結受具５２ｂを係合状態とし、一対の肩ベルト部４０の間隔を固定し、これにより、使用状態で肩掛け部４１ａと肩掛け部４１ｂが肩から外れるという事態が発生しないようにする。
【００５７】
［変形例］
図１４は本発明の実施の形態１の変形例である。
特に、本発明の実施の形態１との相違点は、補助支持布部９０の上部に配設した山高Ｄカン９１ａ，９１ｂの位置にある。実施の形態１では、補助支持布部９０の上部に配設した山高Ｄカン９１ａ，９１ｂと、環状支持部６０の山高Ｄカン６１ａ，６１ｂは別の位置に形成されている。
しかし、実施の形態１の変形例では、補助支持布部９０の上部に配設した山高Ｄカン９１ａ，９１ｂの位置と、環状支持部６０の山高Ｄカン６１ａ，６１ｂの位置とが、補助支持布部９０の展開状態で一致する位置としたものである。
【００５８】
この種の変形例の場合には、使用者Ｍと乳幼児Ｂが相向き合って互いの顔が確認できるように縦抱きする図１１に示す場合に特徴がある。
使用者Ｍと乳幼児Ｂが相向かい合う縦抱きのときには、本体部１０に重ね合わせて取付けられている横抱き用補助具７０を外し、また、腰ベルト部２０の格納部３０から、腰ベルト部２０並びに連結差込具２１及び連結受具２２を取り出し、補助支持布部９０も取り出して展開する。そして、必要に応じて補助支持布部９０の自由端を固着手段で本体部１０に固着する。また、格納部３０には、位置決め用の調整ベルト８１及び連結具としての山高Ｄカン８２からなる横抱き連結具８０は格納しておく。
【００５９】
そして、本体部１０に乳幼児Ｂの身体の背側が直接的にあてがわれるように仰向けに寝かせる。一対の肩ベルト部４０の肩掛け部４１ａ，４１ｂに一体化されている延長ベルト部４２ａ，４２ｂをその端部付近に配設した一方の肩ベルト連結具としての連結差込具４３ａ，４３ｂと共に、環状支持部６０の山高Ｄカン６１ａ，６１ｂ及び補助支持布部９０の山高Ｄカン９１ａ，９１ｂに通し、そこでＵターンさせて、連結差込具４３ａ，４３ｂを肩ベルト部４０の肩掛け部４１ａ，４１ｂの先端に配設されている他方の肩ベルト連結具としての連結受具４５ａ，４５ｂに接続する。そして、補助ベルト５０の連結差込具５２ａと連結受具５２ｂを係合状態とし、一対の肩ベルト部４０の間隔が固定され、これにより、肩掛け部４１ａと肩掛け部４１ｂとの間が所定の距離を保つことができる。
【００６０】
また、乳幼児Ｂは、本体部１０の乳幼児保持用の固定ベルト１２ａ,１２ｂにより、その先端の幼児用連結具としての連結差込具１３ａと連結受具１３ｂが接続され、乳幼児Ｂの重心位置を保持する。そして、本体部１０の下部と一体化した腰ベルト部２０を使用者Ｍの腰回りに腰ベルト連結具としての連結差込具２１と連結受具２２を用いて接続し、使用者Ｍの腰回りに取付ける。そして、一対の肩ベルト部４０に手を通して乳幼児Ｂを縦抱きする。更に、補助ベルト５０の連結差込具５２ａと連結受具５２ｂを係合状態とし、一対の肩ベルト部４０の間隔を固定し、これにより、使用状態で肩掛け部４１ａと肩掛け部４１ｂが肩から外れるという事態が発生しないようにする。
【００６１】
本実施の形態のベビーキャリアは、同時に、一対の肩ベルト部４０の肩掛け部４１ａ，４１ｂに一体化されている延長ベルト部４２ａ，４２ｂを、環状支持部６０の山高Ｄカン６１ａ，６１ｂと補助支持布部９０の山高Ｄカン９１ａ，９１ｂに通し、そこでＵターンさせて、連結差込具４３ａ，４３ｂを連結受具４５ａ，４５ｂに接続するものであるから、乳幼児Ｂの体重の一部を受ける本体部１０及び補助支持布部９０でそれを支えるものであるから、機械的安全性が高くなり、かつ、補助支持布部９０の取付け状態の見栄えが向上する。
【００６２】
なお、本実施の形態の変形例は、環状支持部６０の山高Ｄカン６１ａ，６１ｂと補助支持布部９０の山高Ｄカン９１ａ，９１ｂを同時に通過させるものであるが、環状支持部６０の山高Ｄカン６１ａ，６１ｂに補助支持布部９０の山高Ｄカン９１ａ，９１ｂを取付けるものであってもよいし、逆に、環状支持部６０の山高Ｄカン６１ａ，６１ｂに補助支持布部９０から伸びたベルトを介して山高Ｄカン９１ａ，９１ｂを挿通させてもよい。勿論、金具を使用しないで、生地で環状の挿通口を形成してもよい。
【００６３】
上記実施の形態のベビーキャリアは、乳幼児Ｂの身体の腹側が直接的または背側が直接的、間接的にあてがわれる本体部１０と、本体部１０の縦抱き状態における下部と略逆Ｔ字状に接続された使用者の腰回りに腰ベルト連結具２で取付け自在な腰ベルト部２０と、本体部１０と腰ベルト部２０とが接続された接続幅よりも広い幅からなる一端が、本体部１０及び／または腰ベルト部２０に接続され、他端が本体部１０に沿って配置及び折り畳み自在とし、縦抱き状態で展開され使用される補助支持布部９０と、本体部１０の上部に一端が固着され、使用者Ｍ側の肩または首の背後に回して、他端を本体部１０の縦抱き状態における本体部１０の側部及び／または補助支持布部９０の上部に接続される一対の肩ベルト部４０と、本体部１０の縦抱き状態における本体部１０の側部及び／または補助支持布部９０の上部との間の一対の肩ベルト部４０の各々に配設された連結差込具４３ａ，４３ｂ及び連結受具４５ａ，４５ｂ並びに環状支持部６０及び補助支持布部９０からなる肩ベルト連結具と、腰ベルト部２０の縦抱き状態における下部に配設し、前記肩ベルト連結具を横抱き状態のときに接続される横抱き連結具８０と、本体部１０に重ね合わせて取付け、取外しが自在であり、かつ、乳幼児Ｂの身体の背側があてがわれる内部に剛性のある芯材を収容し、前記芯材の表面をクッション性に富む材料で覆った横抱き用補助具７０とを具備するものである。
【００６４】
上記実施の形態のベビーキャリアは、親と同一向きで縦抱きするときには、本体部１０に重ね合わせて取付けられている横抱き用補助具７０を外し、補助支持布部９０を折り畳み本体部１０と腰ベルト部２０とが接続された接続幅を狭くし、そこに脚の位置を定めるものであるから、乳幼児Ｂの脚の開きが無理なく開ける程度であるから、乳幼児Ｂにやさしいベビーキャリアとなる。
また、本体部１０に乳幼児Ｂの身体の腹側が直接的にあてがわれるように寝かせる。その本体部１０の縦抱き状態の下部位置で略逆Ｔ字状に取付けられた腰ベルト部２０の水平の長さ方向の端部に配設した連結差込具２１及び連結受具２２からなる腰ベルト連結具２１，２２によって、腰ベルト部２０を使用者Ｍの腰回りに配設する。一対の肩ベルト部４０は、本体部１０の上部に一端が固着され、他端が本体部１０の縦抱き状態における側部に接続されているから、前記一対の肩ベルト部４０の本体部１０の上部と本体部１０の側部との間に配設された連結差込具４３ａ，４３ｂ及び連結受具４５ａ，４５ｂ並びに環状支持部６０及び補助支持布部９０からなる肩ベルト連結具によって、本体部１０の上部と前記肩ベルト連結具によって連結した部位との間で一対の肩ベルト部４０の肩ベルト長を決定することができる。そして、その一対の肩ベルト部４０を使用者Ｍ側の肩の背後に回すことにより縦抱きとすることができる。その後、必要に応じて、対抗する前記一対の肩ベルト部４０の距離間を設定する補助ベルト５０を止める。
【００６５】
そして、横抱きするときは、本体部１０に重ね合わせて横抱き用補助具７０を取付け、本体部１０の横抱き用補助具７０に乳幼児Ｂの身体の背側が直接的にあてがわれるように寝かせる。即ち、本体部１０に乳幼児Ｂの身体の背側が間接的にあてがわれるようにする。その本体部１０の縦抱き状態の下部で略逆Ｔ字状に取付けられている腰ベルト部２０を連結差込具２１及び連結受具２２からなる腰ベルト連結具２と共に折り返して格納するか、或いは不要な部分を取り外す。一対の肩ベルト連結具４０は、本体部１０の上部に一端が固着され、他端が本体部１０の縦抱き状態における下部に接続されるから、その一対の肩ベルト部４０を使用者側の肩または首の背後に回すことにより横抱きとする。
【００６６】
したがって、首がすわっていない乳幼児Ｂを対象とした横抱きの体形と、首がすわってからの乳幼児Ｂを対象とした縦抱きの体形共に、使用者Ｍに過大な負担が加わることなく、かつ、乳幼児Ｂ側の体形にも負担が少なく、また、横抱きの体形と縦抱きの体形との繋ぎ換えが簡単にできることになる。
特に、一対の肩ベルト部４０の長さとその肩ベルト部４０の長さと、連結差込具４３ａ，４３ｂと連結受具４５ａ，４５ｂ並びに環状支持部６０及び補助支持布部９０からなる肩ベルト連結具の取付け位置を個別に調整しておくことにより、仮に、両方の使用が必要になった場合でも、使用者に合った縦抱きと横抱きが何らの調整もなく変更でき、使い勝手がよくなる。
【００６７】
上記実施の形態の腰ベルト部４０には、補助支持布部９０及び／または腰ベルト部２０の端部を折り返して収納できる収納部３０を形成したものである。
したがって、収納部３０によって、腰ベルト部２０の不使用時には、その存在をも分からないように収容でき、全体がコンパクトになる。また、補助支持布部９０の収納、横抱き連結具８０の収納が可能になるから、全体がコンパクトにまとまる。
【００６８】
上記実施の形態の補助支持布部９０は、本体部１０に沿って配置及び折り畳み自在とした自由端側が本体部１０に対して固定するボタン、ホック、ファスナー等の固着手段を配設しているものであるから、補助支持布部９０の自由端が本体部１０から離れるようなことがなくなり、一体感が出て見栄えがよくなり、その仕上がりに上品さが出る。
【００６９】
上記実施の形態の一対の肩ベルト部４０には、アジャスターを配設しているものであるから、人の好みに応じた肩掛け距離に設定可能になる。また、横抱きと縦抱きとの違いにも簡単に対応できる。
また、上記実施の形態の肩ベルト連結具を横抱き状態のときに接続される横抱き連結具８０は、その端部の連結具、例えば、山高Ｄカン８２の位置を変更するアジャスター付の調整ベルト８１を具備することにより、横抱きと縦抱きとの違いにもその都度長さの調節を行う必要がなくなる。
【００７０】
ところで、上記実施の形態の本体部１０は、乳幼児Ｂの身体の腹側が直接的または背側が直接的、間接的にあてがわれるものであればよく、本発明を実施する場合には、平板状態であっても、彎曲状態であってもよい。
また、本発明を実施する場合の腰ベルト部２０は、本体部１０の縦抱き状態における下部と略逆Ｔ字状に接続され、使用者Ｍの腰回りに連結差込具２１及び連結受具２２からなる腰ベルト連結具２で取付け、取外し自在なものであればよい。
【００７１】
上記実施の形態の補助支持布部９０は、本体部１０と腰ベルト部２０とが接続された接続幅よりも広い幅からなる一端が、本体部１０及び／または腰ベルト部２０に接続され、他端が本体部１０に沿って配置及び折り畳み自在とし、縦抱き状態で展開され使用されるものである。本発明を実施する場合には、本体部１０と腰ベルト部２０とが接続された接続幅よりも広い幅を有し、その自由端側に山高Ｄカン９１等の連結具が配設されておればよい。上記実施の形態では、補助支持布部９０の折り畳み自在として折り畳んだ補助支持布部９０を格納部３０に格納する事例で説明したが、補助支持布部９０は、腰ベルト部２０に巻きつけることもできる。
【００７２】
上記実施の形態の一対の肩ベルト部４０は、本体部１０の上部に一端が固着され、使用者Ｍ側の肩または首の背後に回して、他端を本体部１０の縦抱き状態における本体部１０の側部及び／または補助支持布部９０の上部に接続されるものであるが、本発明を実施する場合には、本体部１０の側部、補助支持布部９０、本体部１０の側部及び補助支持布部９０に特定されるものではなく、本体部１０の側部からベルトを介して、或いは、補助支持布部９０からベルトを介し、間接的な接続としてもよい。
【００７３】
上記実施の形態の肩ベルト連結具は、一対の肩ベルト部４０の本体部１０の上部と本体部１０の側部との間に配設された連結差込具４３ａ，４３ｂ及び連結受具４５ａ，４５ｂ並びに環状支持部６０及び補助支持布部９０からなるものであるが、本発明を実施する場合には、肩ベルト連結具は本体部１０の縦抱き状態における本体部１０の側部及び／または補助支持布部９０の上部との間の一対の肩ベルト部４０の各々に配設されたものであればよい。
【００７４】
上記実施の形態の横抱き連結具８０は、腰ベルト部２０の縦抱き状態における下部に配設し、一対の肩ベルト部４０の本体部１０の上部と本体部１０の側部との間に配設された連結差込具４３ａ，４３ｂ及び連結受具４５ａ，４５ｂ並びに環状支持部６０及び補助支持布部９０からなる肩ベルト連結具を横抱き状態のときに接続されるものであるが、本発明を実施する場合には、横抱き状態のときに腰ベルト部２０の縦抱き状態における下部に接続されるものであればよい。
【００７５】
なお、上記実施の形態の横抱き用補助具７０は、公知のものでよいが、概略的に、本体部１０に重ね合わせて取付け、取外しが自在であり、かつ、乳幼児Ｂの身体の背側があてがわれる内部に剛性のある芯材を収容し、前記芯材の表面をクッション性に富む材料で覆ったものであればよい。
【００７６】
上記実施の形態のベビーキャリアの腰ベルト部２０には、少なくとも腰ベルト部２０の端部を折り返して収納できる収納部３０を形成したものであり、腰ベルト部２０の不使用時には、その存在をも分からないように収容でき、全体がコンパクトになる。また、前記腰ベルト部２０が乳幼児Ｂの足載せとなり、乳幼児Ｂが窮屈感から開放される。
また、補助支持布部９０は、本体部１０に沿って配置及び折り畳み自在とした自由端側が本体部１０に対して固定する固着手段を配設したものであれば、補助支持布部９０が本体部１０と一体に縫い付けられているように一体感が出て、見栄えがよくなり、仕上がりに上品さが出る。
【００７７】
上記実施の形態のベビーキャリアの一対の肩ベルト部４０には、アジャスターを配設しているものでは、人の好みに応じた肩掛けできる距離に設定可能になる。また、横抱きと縦抱きとの違いにも連結具の接続の切り替えのみで簡単に対応できる。
また、連結差込具４３ａ，４３ｂ及び連結受具４５ａ，４５ｂ並びに環状支持部６０及び補助支持布部９０からなる肩ベルト連結具を横抱き状態のときに接続される横抱き連結具８０は、その端部の連結具の位置を変更するアジャスター付のベルトを具備すると、横抱きと縦抱きとの違いにも連結具の切り替えのみで、その都度、長さの調節を行う必要がない。
【産業上の利用可能性】
【００７８】
上記発明の実施の形態のベビーキャリアは、乳幼児Ｂの身体の腹側が直接的または背側が直接的、間接的にあてがわれる本体部１０と、本体部１０の縦抱き状態における下部と略逆Ｔ字状に接続された使用者Ｍの腰回りに配設自在な腰ベルト部２０と、本体部１０と腰ベルト部２０とが接続された接続幅よりも広い幅からなる一端が、本体部１０及び／または腰ベルト部２０に接続され、他端が本体部１０に沿って配置及び折り畳み自在とし、縦抱き状態で展開され使用される補助支持布部９０と、本体部１０の上部に一端が固着され、使用者Ｍ側の肩または首の背後に回して、他端を本体部１０の縦抱き状態における本体部１０の側部及び／または前記補助支持布部９０の上部に接続される一対の肩ベルト部４０と、本体部１０の縦抱き状態における本体部１０の側部及び／または補助支持布部９０の上部との間の一対の肩ベルト部４０の各々に配設された連結差込具４３ａ，４３ｂ及び連結受具４５ａ，４５ｂ並びに環状支持部６０及び補助支持布部９０からなる肩ベルト連結具と、本体部１０に重ね合わせて取付け、取外しが自在であり、かつ、乳幼児Ｂの身体の背側があてがわれる内部に剛性のある芯材を収容し、前記芯材の表面をクッション性に富む材料で覆った横抱き用補助具７０とを具備する発明として捉えることもできる。
【符号の説明】
【００７９】
Ｍ    使用者
Ｂ    乳幼児
２    腰ベルト連結具
１０    本体部
２０    腰ベルト部
２１    連結差込具
２２    連結受具
３０    格納部
４０    肩ベルト部
４１ａ，４１ｂ    肩掛け部
４２ａ，４２ｂ    延長ベルト部
４３ａ，４３ｂ    連結差込具
５０    補助ベルト
６０    環状支持部
６１ａ，６１ｂ    山高Ｄカン
７０    横抱き用補助具
７４    折曲端部
７５    基部
８０    横抱き連結具
８２    山高Ｄカン
９０    補助支持布部
９１    山高Ｄカン
【図１】
2013212295.tif 000003
【図２】
2013212295.tif 000004
【図３】
2013212295.tif 000005
【図４】
2013212295.tif 000006
【図５】
2013212295.tif 000007
【図６】
2013212295.tif 000008
【図７】
2013212295.tif 000009
【図８】
2013212295.tif 000010
【図９】
2013212295.tif 000011
【図１０】
2013212295.tif 000012
【図１１】
2013212295.tif 000013
【図１２】
2013212295.tif 000014
【図１３】
2013212295.tif 000015
【図１４】
2013212295.tif 000016